(57)【特許請求の範囲】
【請求項１】
パケット処理装置は、パケットデータを受信すると前記パケットデータの宛先である移動機の位置登録エリアを管理する加入者交換装置に接続されたパケット処理装置に対して前記移動機の呼出を指示し、他のパケット処理装置に対してはパケット着信を通知し、
前記加入者交換装置は、前記加入者交換装置に接続されたパケット処理装置からの呼出指示に基づき、前記移動機に対して呼出を行い、
前記移動機は、前記加入者交換装置から呼出を受けると、前記パケット処理装置にパケット通信登録の制御信号を送信し、
前記パケット処理装置は、前記移動機から前記パケット通信登録の制御信号を受信した場合には前記移動局にパケットデータの送信を行う
ことを特徴とする呼出制御方法。
【請求項２】
前記他のパケット処理装置は、
前記パケット処理装置から呼出の指示を受信すると、接続された加入者交換装置に対して前記移動機の呼出を指示し、前記移動機から前記パケット通信登録の制御信号を受信した場合には前記移動局にパケットデータの送信を行う
ことを特徴とする請求項１に記載の呼出制御方法。
【請求項３】
前記パケット処理装置は、前記移動機の呼出を指示したパケット処理装置から異常応答を受信した場合、または、前記移動機の呼出を指示したパケット処理装置から正常応答を受信しなかった場合には、前記移動機の呼出を指示したパケット処理装置とは異なるパケット処理装置に対して、前記加入者交換装置に対する前記移動機の呼出を指示する
ことを特徴とする請求項２に記載の呼出制御方法。
【請求項４】
前記パケット処理装置は、
前記他のパケット処理装置に対し、前記加入者交換装置に対する前記移動機へのパケットを受信した旨を通知する
ことを特徴とする請求項１に記載の呼出制御方法。
【請求項５】
前記パケット処理装置は、前記他のパケット処理装置から異常応答を受信した場合、または、前記他のパケット処理装置から正常応答を所定期間内に受信しなかった場合には、前記他のパケット処理装置とは異なるパケット処理装置に対して、前記加入者交換装置に対する前記移動機の呼出を指示する
ことを特徴とする請求項４に記載の呼出制御方法。
【請求項６】
請求項１から請求項５に記載の呼出制御方法を用いることを特徴とする移動通信システム。
【発明の詳細な説明】
【０００１】
【発明の属する技術分野】
本発明は、移動通信システムに係り、詳しくは、呼出を指示するための機能部とその指示に従って移動機に対して呼出を実行するための機能部とが分離した構成となる移動通信システムに関する。
【０００２】
また、本発明は、そのような移動通信システムにおいて適用される移動機に対する呼出制御方法に関する。
【０００３】
【従来の技術】
従来、パケット通信サービスを提供するＰＤＣパケット（ＰＤＣ−Ｐ：Personal Digital Cellular-Packet）方式の移動通信システムは、例えば、図４に示すように構成されている。
【０００４】
この移動通信システム（ＰＤＣ−Ｐ）では、パケット関門装置（以下、ＭＧＦという。ＭＧＦ：Mobile Gateway Function）１１０１、１１０２、パケット処理装置（以下、ＭＰＦという。ＭＰＦ：Mobile Packet Processing Function）１００１、１００２、及びロケーションレジスタ（以下、ＬＲという。ＬＲ：Location Resister）５０が中継網（ＮＷ０）により相互に接続されている。各ＭＧＦ１１０１、１１０２は、外部のネットワークと接続される。例えば、ＭＧＦ１１０１がユーザＬＡＮ（ＮＷ１）に接続され、ＭＧＦ１１０２がインターネット（ＮＷ２）に接続される。このインターネット（ＮＷ２）上には、種々のコンテンツサーバやユーザＬＡＮ（ＮＷ３）等が接続されている。
【０００５】
また、この移動通信システム（ＰＤＣ−Ｐ）は、移動機１０における音声着信とパケット着信の同時待受けを可能にするために、音声通信サービスを提供するＰＤＣ方式の移動通信システムの資源を利用している。即ち、図４において、加入者交換装置（以下、ＭＬＳという。ＭＬＳ：Mobile Local Switch function）３０１、３０２、無線基地局（以下、ＢＳという。ＢＳ：Base Station）２０１、２０２、２０３及び関門交換装置（以下、ＭＧＳという。ＭＧＳ：Mobile Gateway Switch function）４０は、音声通信サービスを提供するＰＤＣ方式の移動通信システムの資源である。この音声通信サービスを提供する移動通信システムでは、例えば、ＭＬＳ３０１がＢＳ２０１及び２０２に接続され、ＭＬＳ３０２がＢＳ２０３に接続されている。また、各ＭＬＳ３０１、３０２は相互に接続されると共に（図示せず）、ＭＧＳ４０に接続され、更に、ＬＲ５０に対してアクセス可能になっている。ＭＧＳ４０はＩＳＤＮ、ＰＳＴＮなどの公衆網（ＮＷ４）に接続されている。
【０００６】
上記パケット通信サービスを提供するための移動通信システム（ＰＤＣ−Ｐ）における各ＭＰＦ１００１、１００２は、ＭＬＳ３０１、３０２に接続されると共に、パケット信号の変調、復調を行うパケット変復調装置（以下、Ｐ−ＭＤＥとういう。Ｐ−ＭＤＥ：Packet Modulation/Demodulation Equipment）１０１１、１０１２、１０１３がＢＳ２０１、２０２、２０３に搭載されている。この各ＢＳ２０１、２０２、２０３に搭載されたＰ−ＭＤＥ１０１１、１０１２、１０１３は、ＭＬＳ３０１、３０２を介してＭＰＦ１００１、１００２に接続されている。
【０００７】
上記のような構成の移動通信システムにおいて、移動機１０は、音声通信サービスを受ける場合、例えば、公衆網（ＮＷ４）上の固定電話機と、ＢＳ２０１、ＭＬＳ３０１及びＭＧＳ４０を介して回線接続される。この状態で、移動機１０は、ＢＳ２０１と無線通信を行うことにより、公衆網（ＮＷ４）上の固定電話機と音声通話が可能になる。
【０００８】
また、移動機１０に接続されたＰＣ端末１５がパケット通信サービス（データ通信サービス）を受ける場合、ＰＣ端末１５は、移動機１０、ＢＳ２０１、Ｐ−ＭＤＥ１０１１、ＭＬＳ３０１、ＭＰＦ１００１及び中継網（ＮＷ０）を介して、例えば、ＭＧＦ１１０１に接続され、当該ＰＣ端末１５とＭＧＦ１１０１との間にリンクが確立される。この状態で、ＰＣ端末１５は、移動機１０とＢＳ２０１との間の無線区間を介して、ＭＧＦ１１０１に接続されたユーザＬＡＮ（ＮＷ１）上の他のＰＣ端末とパケットによるメールなどの送受信が可能になる。
【０００９】
移動機１０は、上記のようにパケット通信サービス及び音声通信サービスを受けるために、音声着信とパケット着信の同時待受けを行う。移動機１０に対する呼出しは、音声着信及びパケット着信のいずれの場合でも、音声通信サービスにてなされる移動機１０の位置登録エリアに対して行われる。
【００１０】
以下、パケット着信における移動機１０に対する呼出制御について、上記移動通信システムを概念的に示した図５を参照して説明する。
【００１１】
図５において、移動機ＭＳが音声通信サービスにおける位置登録エリアＬＡ及びそれに重なるパケット通信登録エリアＰＡ１に進入すると、当該移動機ＭＳが当該位置登録エリアＬＡとパケット通信登録エリアＰＡ１に対応づけられ位置登録される（ＬＲ４０への登録）。この移動機ＭＳの位置登録の更新は、移動機ＭＳが音声通信サービスにおける位置登録エリアＬＡを越える毎に行われる。
【００１２】
このような状態で、ユーザＬＡＮ（ＮＷ１）やインターネット（ＮＷ２）などの外部のネットワーク（以下、ＮＳＰという。ＮＳＰ：Network Service Provider）からＭＧＦがパケットを受信すると（▲１▼）、その移動機ＭＳが登録されたパケット通信登録エリアＰＡ１を管轄するＭＰＦ１にそのパケットが転送される。
【００１３】
ＭＰＦ１は、音声通信サービスにおける位置登録エリアＬＡに重畳する他のパケット通信登録エリアＰＡ２が存在すれば、そのパケット通信登録エリアＰＡ２を管轄するＭＰＦ２に呼出しの指示を行う（▲２▼）。
【００１４】
上記のようにしてパケットを受信したＭＰＦ１は、それに接続されるＭＬＳ１、ＭＬＳ２に対して呼出の指示を行う（▲３▼）。また、上記のようにＭＰＦ１から呼出の指示を受けたＭＰＦ２は、それに接続されるＭＬＳ３に呼出の指示を行う。その結果、上記音声通信サービスにおける位置登録エリアＬＡを分担する全てのＭＬＳ１〜ＭＬＳ３から着信呼出が一斉になされる（▲３▼）。
【００１５】
そして、その着信呼出信号を、例えば、ＭＬＳ２に接続されたＢＳから受信した移動機ＭＳは、パケット通信登録の制御信号をそのＢＳに送信する。その制御信号をそのＢＳに搭載されたＰ−MDE、ＭＬＳ２を介してＭＰＦ１が受信すると、当該ＭＰＦ１はＭＧＦから受信した上記パケットをＭＰＦ１、Ｐ−ＭＤＥ及びＢＳを介して移動機ＭＳに転送する。
【００１６】
上記のような移動通信システムでは、ＭＰＦがパケット着信に係る呼出の指示を行うための機能部を有し、そのＭＰＦに接続される各ＭＬＳがその指示に従って移動機に対する呼出を実行するための機能部を有している。そして、１つのＭＰＦに対して一または複数のＭＬＳが接続された構成になっていることから、呼出を行うべき移動機ＭＳが登録された位置登録エリアＬＡが決まれば、それを分担する各ＭＬＳに対してどのＭＰＦから呼出の指示を行うべきかが一意に決定することができる。
【００１７】
【発明が解決しようとする課題】
ところで、上述した移動通信システムでは、パケット着信に係る呼出の指示を行うための機能部を有するＭＰＦは、パケット通信サービスを提供するための移動通信システムの資源であり、その呼出の指示に従って実際に呼出を実行するための機能を有するＭＬＳは音声通信サービスを提供するための移動通信システムの資源である。このため、ＭＰＦの処理能力や物理的配置と、ＭＬＳの処理能力や物理的な配置は、それぞれそれらが属する移動通信システムでの要求に基づいて設計される。
【００１８】
上記のように、一つのＭＰＦに対して一または複数のＭＬＳが接続される構成では、常にＭＰＦの処理能力は、各ＭＬＳの処理能力以上でなければならない。従って、音声通信サービスを提供する移動通信システムでの要求に基づいて各ＭＬＳの処理能力を向上させたにも係わらず、それらが接続されるＭＰＦの処理能力の制限から、各ＭＬＳの処理能力をパケット通信サービスにおいて十分活用できないことがある。
【００１９】
また、例えば、比較的狭い範囲に複数のＭＰＦと複数のＭＬＳが配置される場合がある。この場合、その範囲に配置されるＭＰＦの数がＭＬＳの数より多くなると、ＭＰＦのいくつかは、比較的遠方に配置されたＭＬＳと接続しなければならない。このような場合には、ＭＰＦとＭＬＳとを接続するための資源（専用線など）が浪費されることになってしまう。
【００２０】
そこで、本発明の第一の課題は、呼出を実行するための機能部の処理能力が呼出を指示するための機能部の処理能力より大きくても、また、呼出を実行するための機能部の周囲に呼出を指示するための機能部が比較的多く配置されたとしても、処理能力の点や接続資源の点から有効な構成となる移動通信システムを提供することである。
【００２１】
また、本発明の第二の課題は、そのような移動通信システムにて適用される呼出制御方法を提供することである。
【００２２】
【課題を解決するための手段】
上記課題を解決するため、本発明によれば、移動機に対する通信サービスの要求に基づいてその移動機に対する着信呼出を行って当該移動機に対して通信サービスを提供する移動通信システムにおいて、移動機の位置登録エリアに対して呼出を実行するための一または複数の呼出実行手段と、上記各呼出実行手段に接続され、その呼出実行手段に対して呼出の指示を行うための複数の呼出指示手段とを有するように構成される。
【００２３】
このような移動通信システムでは、各呼出実行手段に複数の呼出指示手段が接続された構造となることから、各呼出実行手段に接続された複数の呼出指示手段のうち少なくとも１つの呼出指示手段から呼出の指示がなされると、各呼出実行手段が呼出の実行を行う。
【００２４】
移動機に対して音声通信サービスの移動通信システムの資源を有効に利用してパケット通信サービスを移動機に対して提供し得る移動通信システムを構成するという観点から、本発明によれば、上記移動通信システムにおいて、上記各呼出実行手段は、音声通信サービスを提供する移動通信システムの資源であって、上記各呼出指示手段は、パケット通信サービスに係る資源とし、上記複数の呼出指示手段のうち少なくとも１つの呼出指示手段からの指示に従ってその複数の呼出指示手段が接続される呼出実行手段の呼出の実行することによりパケット着信呼出を移動機に行い、当該移動機にパケット通信サービスを提供するように構成することができる。
【００２５】
効率的な呼出の指示を行えるという観点から、本発明によれば、上記各移動通信システムにおいて、上記複数の呼出指示手段から単一の呼出指示手段を決定する手段を有し、該手段にて決定された呼出指示手段からの指示に従ってその複数の呼出指示手段が接続される呼出実行手段の呼出の実行により着信呼出を移動機に行い、当該移動機に通信サービスを提供するように構成することができる。
【００２６】
このような移動通信システムでは、各呼出実行手段に接続された複数の呼出指示手段のうちから決定された単一の呼出指示手段からの呼出の指示に従って、各呼出実行手段が呼出の実行を行う。従って、複数の呼出指示手段からそれらが接続される呼出実行手段に対して呼出の指示がなされることはない。
【００２７】
上記第二の課題を解決するため、本発明によれば、上記移動通信システムにおける呼出制御方法において、移動機に対する通信サービスの要求に応答して、その移動機の位置登録エリアに対して呼出を実行するための各呼出実行手段に接続された複数の呼出指示手段から単一の呼出指示手段を決定し、該決定された単一の呼出指示手段からそれが接続される呼出実行手段に呼出の指示を行い、該呼出の指示に従って各呼出実行手段が呼出の実行を行うように構成される。
【００２８】
このような呼出制御方法では、各呼出実行手段に複数の呼出指示手段が接続された構成であっても、単一の呼出指示手段から、それが接続される各呼出実行手段に呼出の指示がなされるので、効率的な呼出の指示を行えるようになる。
【００２９】
また、本発明によれば、上記移動通信システムにおける呼出制御方法において、移動機に対する通信サービスの要求を、その移動機の位置登録エリアに対して呼出を実行するための全ての呼出実行手段に接続された全ての呼出指示手段のうちで予め定められた単一の呼出指示手段に与え、該単一の呼出指示手段から、それが接続される呼出実行手段以外の各呼出実行手段に接続される複数の呼出指示手段から決定された単一の呼出指示手段に対して呼出の指示を行い、上記予め定められた呼出指示手段及びそれから呼出の指示を受けた各呼出指示手段からそれらが接続される呼出実行手段に対して呼出の指示を行い、その呼出の指示を受けた各呼出実行手段が呼出の実行を行うように構成することができる。
【００３０】
上記呼出制御方法において、各呼出実行手段に接続される複数の呼出指示手段のうち、上記予め定めた呼出指示手段から呼出の指示を受ける呼出指示手段以外の呼出指示手段に対してそれが接続される呼出実行手段にて呼出の実行がなされることを認識させるという観点から、本発明によれば、上記移動通信システムにおける呼出制御方法において、上記予め定めた呼出指示手段から、上記呼出の指示のなされた各呼出指示手段以外の呼出指示手段に対して上記移動機に対する通信サービスの要求がなされたことを通知するように構成することができる。
【００３１】
上記移動機に対する通信サービスの要求がなされたことの通知を受けた呼出指示手段は、その要求がなされたことに基づいて移動機に対する呼出がなされることを認識することができる。
【００３２】
また、上記予め定めた呼出指示手段が、上記呼出の指示を行った各呼出指示手段がそれらた接続される呼出実行手段に対して正常に呼出の指示を行ったことを認識できるようにするという観点から、本発明によれば、上記各移動通信システムにおける呼出制御方法において、上記予め定めた呼出指示手段から上記呼出の指示を受けた各呼出指示手段は、それが接続される呼出実行手段に対して呼出の指示を行う際に、所定の応答を上記予め定めた呼出指示手段に送り、上記予め定めた呼出指示手段は、上記呼出の指示を行った各呼出指示手段から上記所定の応答を取得したときに、それが接続される呼出実行手段に対して呼出の指示を行うように構成することができる。
【００３３】
【発明の実施の形態】
以下、本発明の実施の形態を図面に基づいて説明する。
【００３４】
本発明の実施の一形態に係る移動通信システムの基本的な構成は、図４に示すものと同様であり、パケット通信サービスを提供する移動通信システムの資源として音声通信サービスを提供する移動通信システムの資源の一部を利用する構成となっている。
【００３５】
その概念的な構成は、例えば、図１に示すようになる。なお、図１に示すシステムでは、図５に示すＮＳＰ及びＭＧＦが省略されている。
【００３６】
図１において、ＭＬＳ１に対して複数のＭＰＦ（ＭＰＦ１及びＭＰＦ２）が接続されると共に、他のＭＬＳ２に対しても複数のＭＰＦ（ＭＰＦ３及びＭＰＦ４）が接続されている。そして、各ＭＰＦ１〜ＭＰＦ４は、従来のシステムと同様に、パケット通信サービスを提供する移動通信システムの資源であり、中継ネットワーク（ＮＷ０：図４参照）を介してＭＧＦに接続されている。また、各ＭＬＳ１及びＭＬＳ２もまた、従来のシステムと同様に、音声通信サービスを提供するシステムの資源である。そして、各ＭＬＳ１及びＭＬＳ２は、位置登録エリアＬＡを分担して管理する。
【００３７】
移動機ＭＳが音声サービスにおける位置登録エリアＬＡ及びそれに重なるパケット通信登録エリアＰＡ１に進入すると、当該移動機ＭＳが当該位置登録エリアＬＡとパケット通信登録エリアＰＡ１に対応づけられて位置登録される（ＬＲ５０への登録）。この移動機ＭＳの位置登録の更新は、上述した従来のシステムと同様に、移動機ＭＳが音声サービスにおける位置登録エリアＬＡを越える毎に行われる。
【００３８】
このような状態で、ＮＳＰからＭＧＦがパケットを受信すると（▲１▼）、その移動機ＭＳが登録されたパケット通信登録エリアＰＡ１を統括するＭＰＦ１にそのパケットが転送される。そして、そのパケットを受信したＭＰＦ１は、それが接続されるＭＬＳ１以外に位置登録エリアＬＡを管理するＭＬＳ、例えば、ＭＬＳ２が存在する場合、そのＭＬＳ２に接続された複数のＭＰＦからそのＭＬＳ２に対して呼出指示をお行うべきＭＰＦを決定する。その決定は、例えば、ＭＬＳ毎にそのＭＬＳに対して呼出指示を行うべきＭＰＦを予め各ＭＰＦに登録しておき、その情報に基づいて行うことができる。
【００３９】
例えば、ＭＬＳ２に対して呼出指示を行うべきＭＰＦとしてＭＰＦ３が登録されている場合、ＭＰＦ１からＭＰＦ３に呼出の指示を行う（▲２▼）。この呼出の指示を受けたＭＰＦ３は、自ノードが正常に呼出の指示を行える状態である場合には、正常応答をＭＰＦ１に返す（▲３▼）。そして、ＭＰＦ３はそれが接続されるＭＬＳ２に対して呼出の指示を行い（▲４▼）、ＭＬＳ２はその指示に従って移動機ＭＳに対する呼出を実行する。
【００４０】
また、ＭＰＦ３から正常応答を受信したＭＰＦ１は、位置登録エリアＬＡを分担する各ＭＬＳ１、ＭＬＳ２に接続されたＭＰＦ２〜ＭＰＦ４のうち、上記呼出の指示を行わなかったＭＰＦ２及びＭＰＦ４に対してパケットを受信した旨を通知する（▲５▼）。これにより、呼出後に、位置登録エリアＬＡに在圏する移動機ＭＳからパケット通信登録がどのＭＰＦに送信されても、それに対応できるようになる。
【００４１】
そして、上記パケットを受信したＭＰＦ１は、それが接続されるＭＬＳ１に呼出の指示を行い（▲６▼）、ＭＬＳ１はその指示に従って移動機ＭＳに対する呼出を実行する。
【００４２】
上記のような手順に従った処理の結果、音声通信サービスにおける位置登録エリアＬＡを分担する全てのＭＬＳ１、ＭＬＳ２から着信呼出が一斉になされる。
【００４３】
上記のように位置登録エリアＬＡに対して一斉になされる着信呼出を、例えば、位置登録エリアＬＡに重畳したＭＰＦ３のパケット通信登録エリアＰＡ３に在圏する移動機ＭＳが受信すると、その移動機ＭＳは、パケット通信登録の制御信号をＭＬＳ２に接続されたＢＳに送信する。その制御信号をＭＬＳ２を介してＭＰＦ３が受信すると、当該ＭＰＦ３は、ＭＰＦ１からパケットの転送を受け、そのパケットを移動機ＭＳに対して送信する。
【００４４】
上記のような移動通信システムでは、呼出を実行するための機能部を有する各ＭＬＳに対して呼出を指示するための機能部を有するＭＰＦが複数接続されているので、ＭＬＳの処理能力がＭＰＦの処理能力より大きくなっても、ＭＬＳの処理能力を十分活用できるようになる。また、ＭＬＳの周囲に複数のＭＰＦが配置された場合に、その複数のＭＰＦをそのＭＬＳに接続することが可能になるので、少ない接続資源にてシステムを構成することが可能となる。
【００４５】
また、各ＭＬＳごとにそのＭＬＳに対して呼出の指示を行うべきＭＰＦを決定しているので、各ＭＬＳに接続される複数のＭＰＦ全てから呼出の指示を行う必要がなく、効率的な呼出制御が可能となる。
【００４６】
各ＭＬＳに接続された複数のＭＰＦのなかから、そのＭＬＳに呼出の指示を行うべきＭＰＦを決定するために、他の手法をとることも可能である。例えば、各ＭＰＦの識別ＩＤのうち最小の識別ＩＤのＭＰＦをそのＭＬＳに呼出の指示を行うべきＭＰＦとして決定することもできる。
【００４７】
また、ＭＧＦから最初にパケットを転送するＭＰＦも、位置登録エリアＬＡを分担する各ＭＬＳに接続されたＭＰＦのなかから、識別ＩＤが最小となるＭＰＦに決めることもできる。
【００４８】
なお、上述した手順において、ＭＰＦ１からＭＰＦ３に呼出の指示がなされた際（▲２▼）に、ＭＰＦ３が正常に呼出の指示を行える状態でない場合には、ＭＰＦ３は、異常応答をＭＰＦ１に返す（または、正常応答をＭＰＦ１に返さない）。その結果、ＭＰＦ１は、ＭＬＳ２に接続された複数のＭＰＦからＭＬＳ２に呼出の指示を行うべきＭＰＦとして他のＭＰＦ、例えば、ＭＰＦ４を決定する。そして、ＭＰＦ１からＭＰＦ４に対して呼出の指示がなされる。そして、このＭＰＦ４が正常に呼出の指示を行える状態である場合に、ＭＰＦ４が上記と同様に正常応答をＭＰＦ１に返す。そして、ＭＰＦ４が上述したＭＰＦ３と同様の手順に従って、ＭＬＳ２に対して呼出の指示を行う。
【００４９】
また、図２に示すような手順にて呼出制御を行うこともできる。この呼出制御は、パケット着信の呼出を移動機ＭＳに対して即時的に行うことを特徴としている。
【００５０】
移動通信システムの構成は、図１に示すものと同様に、ＭＬＳ１に対して複数のＭＰＦ（ＭＰＦ１及びＭＰＦ２）が接続されると共に、ＭＬＳ２に対して複数のＭＰＦ（ＭＰＦ３及びＭＰＦ４）が接続されている。なお、この図２にシステムでも、図５に示すＮＳＰ及びＭＧＦが省略されている。
【００５１】
このような構成の移動通信システムにおける呼出制御では、パケットを受信したＭＰＦ１からＭＬＳ２に呼出指示を行うべきＭＰＦとして決定されたＭＰＦ３に呼出の指示を行う際に（▲２▼）、位置登録エリアＬＡを分担する各ＭＬＳ１及びＭＬＳ２に接続された他のＭＰＦ２及びＭＰＦ４に対してパケットを受信した旨が通知される（▲２▼）。そして、ＭＰＦ１は、上記呼出指示を行ったＭＰＦ３から正常応答が返されることを待つことなく、ＭＬＳ１に対して呼出の指示を行う（▲３▼）。上記ＭＰＦ１から呼出の指示を受けたＭＰＦ３は、正常応答をＭＰＦ１に返すことなく、それが接続されたＭＬＳ２に呼出の指示を行う。
【００５２】
上記のように、図１に示す呼出制御にてなされていた正常応答を行う手順を省くことによって、移動機ＭＳに対するパケット着信の呼出をより高速に行うことができるようになる。
【００５３】
上述した各例において説明した手順に従って呼出制御がなされる移動通信システムにおけるより具体的な動作について、図３を参照して説明する。なお、図３は、図４に示す移動通信システムから当該呼出制御に関係する部分を抜き出して示している。
【００５４】
図３において、ＰＣ端末１５を特定するＩＰアドレス（ＩＰ１）を宛先アドレスとして含むパケットがＮＳＰからＭＧＦ１１０ｉ転送されると、そのＭＧＦ１１０ｉは、そのアドレスＩＰ１からＰＳ端末１５に接続された移動機１０を特定する番号（電話番号、機体番号等）ＭＳ１を判定する（１）。この判定は、例えば、ＰＣ端末１５からの情報の要求信号がＭＧＦ１１０ｉを通過する際に登録されたＰＣ端末１５のアドレスＩＰ１と移動機１０を特定する番号ＭＳ１との関係からなされる（以下、ＰＣ端末ＩＰ１及び移動機ＭＳ１という）。
【００５５】
ＭＧＦ１１０ｉは、他のＭＧＦ１１０ｊを介してＬＲ５０をアクセスして、移動機ＭＳ１に対応した位置登録エリアＬＡ１及びパケット通信登録エリアＰＡ１を取得する（２）。そして、ＭＧＦ１１０ｉは、受信したパケットにＭＳ１を宛先アドレスに付加し、そのパケットをパケット通信登録エリアＰＡ１に対応したＭＰＦ１００ｋに転送する（３）。
【００５６】
このパケットを受信したＭＰＦ１００ｋは、前述した各例（図１、図２参照）で説明した手順に従って決定される呼出指示を行うべきＭＰＦに対して呼出の指示を行うと共に、位置登録エリアＰＡ１を分担する各ＭＬＳに接続された他のＭＰＦに対してパケットを受信した旨の通知を行う。そして、ＭＰＦ１００ｋは、それが接続されるＭＬＳ３０ｍに対して呼出の指示を行う（４）。また、ＭＰＦ１００ｋから上記呼出の指示を受信したＭＰＦは、それが接続されるＭＬＳに対して呼出の指示を行う。
【００５７】
その結果、位置登録エリアＰＡ１を分担する各ＭＬＳが一斉に呼出を実行する。例えば、上記ＭＰＦ１００ｋから呼出の指示を受けたＭＬＳｍは、移動機ＭＳ１の呼出信号をＢＳ２０ｎに転送し、その呼出信号がＢＳｎからその送信される。その呼出信号をパケット通信登録エリアＰＡ１に在圏する移動機ＭＳ１を受信すると、移動機ＭＳ１は、パケット通信登録の制御信号をＢＳ２０ｎに送信する。
【００５８】
このパケット通信登録の制御信号はＢＳ２０ｎに搭載されたＰ−ＤＭＥ１０１ｐからＭＬＳ３０ｍを介してＭＰＦ１００ｋに転送される（５）。このパケット通信登録の制御信号を受信したＭＰＦ１００ｋは、ＭＧＦ１１０ｉから受信したＰＣ端末ＩＰ１（移動機ＭＳ１）宛てのパケットをＭＬＳ３０ｍを介してＰ−ＭＤＥ１０１ｐに送信する。そして、そのパケットがＰ−ＭＤＥ１０１ｐにて処理された後にＢＳ２０ｎから移動機ＭＳ１に送信される。このパケットを受信した移動機ＭＳ１は、そのパケットをＰＣ端末ＩＰ１に供給する。
【００５９】
上記のような手順により、ＮＳＰからＰＣ端末ＩＰ１宛てのパケットが当該移動通信システムを介してＰＣ端末ＩＰ１に配信される。
【００６０】
上記各例では、各ＭＬＳに複数のＭＰＦが接続された構成の移動通信システムにおける呼出制御について説明した。このように、呼出を実行するための機能部を有する各ＭＬＳに呼出を指示するための機能部を有するＭＰＦを複数接続する手法と、従来のシステムのように呼出を指示するための機能部を有するＭＰＦに呼出を実行するための機能部を有するＭＬＳを複数接続する手法の双方を採用することにより、各ＭＬＳ及び各ＭＰＦの処理能力やそれらの接続資源の観点からより有効な構成となる移動通信システムを設計する際の自由度を増すことができる。
【００６１】
なお、上記各例では、呼出の指示を行うための機能部を含むＭＰＦは、パケット通信サービスを提供する移動通信システムの資源であり、また呼出を実行するための機能部を含むＭＬＳは、音声通信サービスを提供する移動通信システムの資源であったが、いずれか一方の移動通信システムにおいても、呼出を実行するための機能部に対して呼出を指示するための機能部を複数接続する構成をとることは可能である。
【００６２】
また、その呼出を実行するための機能部と呼出を指示するための機能部は、物理的に異なる通信ノードに搭載されることは必須ではなく、それらの機能部が分離していれば、それらの機能部が同一の通信ノードに搭載されてもよい。
【００６３】
更に、移動通信システムの構成としては、各ＭＬＳに複数のＭＰＦが接続されていればよく、各ＭＬＳに対して複数のＭＰＦから呼出の指示がなされるようにしてもよい。この場合、例えば、各ＭＬＳは、最初の呼出の指示に従って呼出を実行することができる。
【００６４】
上記各例において、各ＭＬＳが有する呼出の実行を行うための機能部が呼出実行手段に対応し、各ＭＰＦが有する呼出の指示を行うための機能部が呼出指示手段に対応する。また、パケットの受信を行うＭＰＦ１の機能が、複数の呼出制御手段から単一の呼出制御手段を決定する手段に対応する。
【００６５】
また、移動通信システムにて移動機ＭＳ宛てのパケットを受信することが、移動機に対する通信サービスの要求に対応する。
【００６６】
【発明の効果】
以上、説明したように、請求項１乃至３記載の本願発明によれば、各呼出実行手段に複数の呼出指示手段が接続された構造となることから、呼出を実行するための機能部の処理能力が呼出を指示するための機能部の処理能力より大きくても、また、呼出を実行するための機能部の周囲に呼出を指示するための機能部が比較的多く配置されたとしても、処理能力の点や接続資源の点から有効な構成となる移動通信システムを実現することができる。
【００６７】
また、請求項４及び５記載の本願発明によれば、そのような移動通信システムにて適用される呼出制御方法を実現することができる。
【図面の簡単な説明】
【図１】本発明の実施の形態に係る移動通信システムの概念的な構成の一例を示す図である。
【図２】本発明の実施の形態に係る移動通信システムの概念的な構成の他の一例を示す図である。
【図３】本発明の実施の形態に係る移動通信システムでの動作を具体的に説明するための図である。
【図４】ＰＤＣパケット移動通信システムの構成例を示す図である。
【図５】従来の移動通信システムの概念的な構成例を示す図である。
【符号の説明】
１０  移動機
１５  ＰＣ端末
２０１、２０２、２０３  無線基地局（ＢＳ）
３０１、３０２  加入者交換装置（ＭＬＳ）
４０  関門交換装置（ＭＧＳ）
５０  ロケーションレジスタ（ＬＲ）
１００１、１００２  パケット処理装置（ＭＰＦ）
１０１１、１０１２、１０１３  パケット変復調装置（Ｐ−ＭＤＥ）
１１０１、１１０２  パケット関門装置（ＭＧＦ）
【図１】
0003811361.tif 000002
【図２】
0003811361.tif 000003
【図３】
0003811361.tif 000004
【図４】
0003811361.tif 000005
【図５】
0003811361.tif 000006